(57)【要約】  成形型を作製する方法であって、成形型は第１材料および第２材料を収容するための内部空洞を有し、前記成形型は第１材料を受け入れる第１ポートと、前記第２材料を受け入れる第２ポートと、前記第１材料内に前記第２材料を送り込むための第１流路とを有し、方法は、耳の形状を表わすデータを有する電子ファイルを決定することと、スプルー特徴部を有する成形型の電子的モデルを生成するために電子ファイルを処理することと、成形型の電子的モデルに基づいて、成形型を作製することとを含む。
2019515550.tif 000002
【特許請求の範囲】
【請求項１】
聴覚機器の部品を形成する装置であって、前記部品は、ハウジングを有するイヤピースを含み、前記ハウジングは第１材料から形成された壁を有し、前記ハウジングの前記壁は、前記第１材料で囲まれた第２材料を有し、
前記装置は前記第１材料と前記第２材料とを収容する内部空洞を有する成形型を有し、
前記成形型は前記第１材料を受け入れる第１ポートを有し、
前記成形型はさらに前記第２材料を受け入れる第２ポートと、前記第２材料を前記第１材料内に導く第１流路とを有する、装置。
【請求項２】
前記成形型は使い捨て成形型を含む、請求項１に記載の装置。
【請求項３】
さらに、前記第１材料の第１供給源を有する、請求項１または２に記載の装置。
【請求項４】
前記第１材料は、シリコーンまたはウレタンを含む、請求項１から３のいずれか一項に記載の装置。
【請求項５】
さらに、前記第２材料の第２供給源を有する、請求項１から４のいずれか一項に記載の装置。
【請求項６】
前記成形型はさらに、前記第２材料を前記第１材料内に導くための第２流路を有する、請求項１から５のいずれか一項に記載の装置。
【請求項７】
前記第２材料は、シリコーンゲル、シリコーンフォーム材、ウレタンゲル、またはウレタンフォーム材を含む、請求項１から６のいずれか一項に記載の装置。
【請求項８】
前記成形型内に前記第１材料が送り込まれた後に、前記第１材料の一部と置き換わる液体または空気の供給源をさらに有する、請求項１から７のいずれか一項に記載の装置。
【請求項９】
前記成形型は、カスタマイズされた成形型を含む、請求項１から８のいずれか一項に記載の装置。
【請求項１０】
ハウジングを有するイヤピースを含み、
前記ハウジングは第１材料から形成される壁を有し、
前記ハウジングの前記壁は、前記第１材料で囲まれた第２材料を有する、聴覚機器の部品。
【請求項１１】
前記ハウジングは、流路を有し、前記壁は前記流路を囲む、請求項１０に記載の部品。
【請求項１２】
前記イヤピースは、カスタマイズされたシェルを有する、請求項１０または１１に記載の部品。
【請求項１３】
前記第２材料は前記聴覚機器に関連した低音効果を向上するように構成される、請求項１０から１２のいずれか一項に記載の部品。
【請求項１４】
前記第２材料は外音を減衰することで、音響密閉性を実現するように構成される、請求項１０から１３のいずれか一項に記載の部品。
【請求項１５】
前記第２材料は、前記聴覚機器に関連したオクルージョン効果を低減するように構成される、請求項１０から１４のいずれか一項に記載の部品。
【請求項１６】
前記第１材料は、第１シリコーンを含む、請求項１０から１５のいずれか一項に記載の部品。
【請求項１７】
前記第２材料は、前記第１シリコーンとは異なる、第２シリコーンを含む、請求項１６に記載の部品。
【請求項１８】
前記第１シリコーンは第１硬度を有し、前記第２シリコーンは前記第１硬度とは異なる第２硬度を有する、請求項１７に記載の部品。
【請求項１９】
前記第２シリコーンは、シリコーンゲルを含む、請求項１７または１８に記載の部品。
【請求項２０】
前記第２シリコーンは、シリコーンフォーム材を含む、請求項１７から１９のいずれか一項に記載の部品。
【請求項２１】
前記第１材料は、第１ウレタンを含む、請求項１０から２０のいずれか一項に記載の部品。
【請求項２２】
前記第２材料は、前記第１ウレタンとは異なる第２ウレタンを含む、請求項２１に記載の部品。
【請求項２３】
前記第１ウレタンは第１硬度を有し、前記第２ウレタンは前記第１硬度とは異なる第２硬度を有する、請求項２２に記載の部品。
【請求項２４】
前記第２ウレタンは、ウレタンゲルを含む、請求項２２または２３に記載の部品。
【請求項２５】
前記第２ウレタンは、ウレタンフォーム材を含む、請求項２２から２４のいずれか一項に記載の部品。
【請求項２６】
前記第２材料は、液体を含む、請求項１０から２５のいずれか一項に記載の部品。
【請求項２７】
前記第２材料は、フォーム材を含む、請求項１０から２６のいずれか一項に記載の部品。
【請求項２８】
前記第２材料は、空気を含む、請求項１０から２７のいずれか一項に記載の部品。
【請求項２９】
成形型を作製する方法であって、前記成形型は第１材料および第２材料を収容するための内部空洞を有し、前記成形型は前記第１材料を受け入れる第１ポートと、前記第２材料を受け入れる第２ポートと、前記第１材料内に前記第２材料を送り込むための第１流路とを有し、前記方法は、
耳の形状を表わすデータを有する電子ファイルを決定することと、
スプルー特徴部を有する前記成形型の電子的モデルを生成するために、前記電子ファイルを処理することと、
前記成形型の前記電子的モデルに基づいて、前記成形型を作製することと、を含む方法。
【請求項３０】
前記電子的モデルは、ＣＡＤモデルを含む、請求項２９に記載の方法。
【請求項３１】
前記データは耳甲介、外耳道外側部、外耳道内側部の形状を表わす、請求項２９または３０に記載の方法。
【請求項３２】
前記成形型は３Ｄプリンタを使用して作製される、請求項２９から３１のいずれか一項に記載の方法。
【請求項３３】
前記スプルー特徴部は、前記第１材料を送り込むための第１スプルーを表わす第１スプルー特徴部を含む、請求項２９から３２のいずれか一項に記載の方法。
【請求項３４】
前記スプルー特徴部は、前記第２材料を送り込むための第２スプルーを表わす第２スプルー特徴部を含む、請求項３３に記載の方法。
【請求項３５】
請求項２９に記載の前記成形型を使用して聴覚機器の部品を作製する方法であって、
前記成形型に第１材料を注入し、
前記第１材料に前記第２材料が囲まれるように前記第２材料を前記成形型に注入することとを含み、
前記第１材料と前記第２材料とが前記部品の部位を形成する、方法。
【請求項３６】
前記成形型を破壊して、前記部品を取り出すことを含む、請求項３５に記載の方法。
【請求項３７】
さらに、前記第１材料の内部を除去して前記第１材料内に空洞を作ることを含み、
前記第２材料が前記第１材料内の前記空洞内に注入される、請求項３５または３６に記載の方法。
【請求項３８】
前記除去することは、前記第１材料内に液体または空気を送り込むことを含む、請求項３７に記載の方法。
【請求項３９】
前記部品はイヤピースを含む、請求項３５から３８のいずれか一項に記載の方法。
【請求項４０】
第１聴覚機器の第１部品を形成する装置であって、前記第１部品は、ハウジングを有するイヤピースを含み、前記ハウジングは第１材料から形成された壁を有し、前記ハウジングの前記壁は、前記第１材料で囲まれた第２材料を有し、前記装置は、
前記第１材料と前記第２材料とを収容する第１内部空洞を有する成形型であって、前記第１材料を受け入れる第１ポートを有する成形型と、
前記第１材料内に前記第２材料が存在するよう、前記第２材料を第１内部空洞内に送り込むための、前記第２材料の第１供給源とを備える、装置。
【請求項４１】
前記第２材料の前記第１供給源は、第１シリンジを含む、請求項４０に記載の装置。
【請求項４２】
前記装置は、さらに、第２聴覚機器の第２部品を形成するものであって、第２内部空洞と、前記第２材料を前記第２内部空洞内に送り込むための、前記第２材料の第２供給源とを備える、請求項４０または４１に記載の装置。
【請求項４３】
前記第１供給源は第１シリンジを含み、前記第２供給源は第２シリンジを含む、請求項４２に記載の装置。
【発明の詳細な説明】
【技術分野】
【０００１】
（関連出願データ）
本出願は、２０１６年４月２６日に出願された係属中の米国特許仮出願第６２／３２７，７２３号と、２０１７年４月２５日に出願された係属中の米国特許出願第１５／４９６，７７３号の優先権を主張する。
【０００２】
米国特許出願第１５／４９６，７７３号は、米国特許仮出願第６２／３２７，７２３号の優先権を主張する。
【０００３】
本開示は、聴覚機器部品を作製するシステムおよび方法に関し、特にイヤモールドを作製するシステムおよび方法に関する。
【背景技術】
【０００４】
様々な技術により、カスタマイズされたイヤモールドや、補聴器シェルを設計、作製できる。例えば、デジタルデータ処理や、３Ｄ印刷（ラピッドプロトタイピング）により、カスタマイズされたイヤモールドを作製することが行われている。これら技術は、製造手法を妥当且つ機械的なものとしたままで、カスタマイズされた製品に高度な特徴を追加可能とするものである。
【０００５】
多くの音声再生装置（補聴器やイヤホン）および聴覚保護装置（イヤプラグやミュージシャン用プラグ）は、（１）装置性能、音声品質にとって重要な、良好な音響密閉性を実現すること、（２）耳内に心地よく装着できることが求められる。エラストマやフォーム材等の多様の材料を、多様な形状、大きさ、プロセスにより使用した、非常に多くの製造概念により、これは実現可能である。
【発明の概要】
【発明が解決しようとする課題】
【０００６】
しかし、あらゆる複合装置の例において、エラストマ部分およびフォーム材部分は、別々の部材として追加される。即ち、二次的作業でフォーム片がエラストマに加えられたり、膨張可能な容器に詰め込まれたりされている。
【課題を解決するための手段】
【０００７】
本明細書では、能動的音声処理ユニット（補聴器、イヤホン）および受動的装置（イヤプラグ、水泳用プラグ）の両方で使用される、カスタマイズされたエラストマ製イヤモールドを作製する新規のプロセスが説明される。このプロセスにより、シリコーンまたはウレタンのような、柔軟で生体適合性の高い材料に、装着性の高い、圧縮可能なフォーム材またはその他柔軟な材料が注入されたもので、製品が製造される。これにより、イヤモールドの特定の領域で、柔軟性と適合性が実現できる。結果として、部分的に柔軟性と装着性が高いイヤモールドが実現される。これは着け心地の良さ、音響密閉性の高さ、そして外耳道内により深くフィットすることでオクルージョン効果を抑制できるという点で、従来技術を凌駕するものである。
【０００８】
材料と、２つの設計概念を組み合わせることで以下の少なくとも１つの効果が実現される。（１）外耳部分のカスタマイズにより、より耳内から抜けにくい製品が得られる。（２）外耳道の動きに合わせて動くような装着性の向上、着け心地の向上、柔軟性の向上、良好な音響密閉性、外耳道内の閉塞感を低減するようなより深い密閉性を実現した製品が得られる。このような向上は、より柔軟で、より圧縮性が高い一方で、固形エラストマ材よりも高い弾力性（例えば、より変形しやすい、可撓性に優れる等）を誇るため、完全にカスタマイズされたモールドよりも、外耳道の運動に対して対応度がより高いフォーム材注入範囲によるものである。フォーム材の軽いばね力により、不快感を与えずに、音響密閉性の向上を実現できるため、次の効果も考えられる。（３）シリコーン／シリコーンフォームの組み合わせにより、装着者の頭部や顎の動きによって損なわれない、適合的密閉が実現できるので、完全カスタマイズ製品よりも、より深い部分でさらに向上した音響密閉性を実現した、着け心地のよい製品が得られる。
【０００９】
いくつかの実施形態では、製品は、補聴器製品の製造において一般的な、デジタルプロセスで作製してもよい。その場合、当該プロセスにより、シリコーンまたはウレタンエラストマを成型するための使い捨て成形型を作製し、一次エラストマを注入することに加えて、一次エラストマ内に完全に収容された二次内部材料を加えるように、追加的なプロセスが実行される。このプロセスは、成形型の外壁の内面に、一次材料が貼り付くような、表面張力を有利に利用したものである。したがって、外部からベースとなるエラストマを除去することなく、二次材料で内部を満たすことが可能となる。
【００１０】
本明細書記載の実施形態により、（１）補聴器、（２）ヒアリングプロテクタ、（３）カスタマイズされたイヤホンを含むがこれらに限定されない、あらゆるイヤプロダクトの性能向上を実現できる。
【００１１】
本明細書に記載の実施形態では、カスタマイズされた耳用モールドが使用される。いくつかの実施形態では、当該カスタマイズされたモールドは、外耳および外耳道入り口のみがカスタマイズ部位となる。別の実施形態では、カスタマイズされたモールドは（１つまたは複数の）非カスタマイズ部位を有し、さらに／あるいは外耳および外耳道入口に限定されない。例えば、別の実施形態では、カスタマイズされたモールドは、外耳道の外部および／または内部等の、ユーザの耳の他部にまで延在してもよい。モールドは、３Ｄ印刷プロセスによる使い捨て射出成形型内に、エラストマ材料を注入することで作製される。モールドの任意の部分を、二次材料の注入により補強してもよい。この際、一次エラストマ材料の表面張力特性により、一次材料は射出成型型表面に張り付いているので、成形型内部の元材料のみが二次材料に置き換えられる。
【００１２】
人間に接触し、装着性や、着け心地の良さが求められる物品のあらゆる用途において、フォーム材は、剛性または中実材料よりも有利である。フォーム材は、家具から、靴、ヘルメットまで、幅広い製品で、着け心地の向上を目的に一般的に使用されている。フォーム材は数十年前からイヤプラグに使用されているが、主に事前に成型された状態で使用される。フォーム材は、着け心地の向上のため、そしてより音響密閉性を高めて性能向上を図るため、イヤモールドにも利用されている。
【００１３】
しかしながら、フォーム材は、カスタマイズイヤモールドの用途ではいくつか制限が課せられる。これは、以下の各種要素に関する問題によるものである。すなわち、製造に関する問題（作業時間が短い、選択できる材料が限定されている）、ユーザが挿入して使用することに関する問題（フォーム材が柔らかすぎて挿入できない）、清潔性に関する問題（フォーム材を使用すると、異物がフォームセルに閉じ込められてしまう）、強度に関する問題（フォーム材の場合、引裂強度により、モールドがきつく嵌りすぎた際、または過度に乱暴に扱われた場合に、耳からの取り出しやすさが制限される）。このような制限により、多くのカスタマイズされた柔軟イヤモールドでは、フォーム材よりも剛性エラストマ（シリコーン、ＰＶＣ、ウレタン）が使用されている。
【００１４】
シリコーンとフォーム材、またはウレタンとフォーム材のような組み合わせにより、それぞれの特性を活かすようにする試みもなされている。例えば、いくつかの組立プロセスを経ることで、モールドに対して、フォーム材を別体として追加することができる。カスタマイズされない、イヤチップでの用途の場合、フォーム材をそのまま使用してもよいし、別の既に成型された物品と組み合わせて、より複雑な装置を実現してもよい。
【００１５】
本明細書に記載の実施形態は、３Ｄ印刷による成型技術を利用して、カスタマイズ用途用に、フォーム材とシリコーンとを組み合わせる、改善した方法を提供する。３Ｄ成形型は、多様な材料用の使捨て成形型に使用できる。少なくとも１つの実施形態は、使い捨て成形型の基本概念を利用すると同時に、成形型に注入された一次材料と、同じ成形型に注入された二次材料による、複合モールドを作製するように、材料の二次注入という概念も利用する。この処理はさらに、表面張力という化学的特性を利用して、最終的な装置の「外」皮または層として一次材料を残しながら、二次材料を装置内部に限定する。これにより、外層が一次材料の利点を維持しながら、内部では二次材料の利点を享受できる。
【００１６】
材料の組み合わせは、化学的適合性が担保され、３Ｄ印刷で射出成形可能であれば、特に限定されない。非限定的な例として、いくつか組み合わせを挙げる。
【００１７】
一次材料：シリコーン；二次材料：シリコーンフォーム材
【００１８】
一次材料：硬度Ａのシリコーン；二次材料：異なる硬度（例えば、より低い硬度）のシリコーン
【００１９】
一次材料：シリコーン；二次材料：シリコーンゲル
【００２０】
一次材料：シリコーン；二次材料：別の色のシリコーン
【００２１】
一次材料：ウレタン；二次材料：ウレタンフォーム材
【００２２】
一次材料：硬度Ａのウレタン；二次材料：異なる硬度（例えば、より低い硬度）のウレタン
【００２３】
一次材料：ウレタン；二次材料：ウレタンゲル
【００２４】
一次材料：ウレタン；二次材料：別の色のウレタン
【００２５】
一次材料：ウレタン、またはウレタンおよびウレタンフォーム材
【００２６】
一次材料：シリコーン；二次材料：空気
【００２７】
一次材料：シリコーン；二次材料：適合する液体
【００２８】
一次材料：シリコーン；二次材料：ウレタン
【００２９】
複合成型品は、両材料の望ましい特性を組み合わせられるという利点がある。例えば、シリコーン（一次）とシリコーンフォーム材（二次）との複合によれば、フォーム材の柔軟性と装着性と共に、シリコーンの剛性、強度、化学的安定性が実現できる。したがって、フォーム材により非常に着け心地がよく、その着け心地の良さにより耳の奥まで挿入でき、フォーム材の装着性により音響密閉性が向上する一方、外層が剛性のシリコーンであることで、イヤモールドは挿入が容易で、生物学的適合性が高い表面を有し、洗浄が容易で、化学的耐性や、引裂強度の面で高い耐性を実現可能となり、性能向上が実現される。
【００３０】
複合イヤモールドは以下の少なくとも１つを実現する。（１）フォーム材のより高い装着性（柔らかさ）、変形性により、きつくフィットするような完全カスタマイズされた外耳部よりも音響密閉性が高くなる。（２）同様により高い装着性および変形性により、耳型が不完全でも、装置の着け心地を向上する。（３）柔らかさ、柔軟性が向上することで、複合成型品はより深く外耳道に挿入でき、オクルージョン効果の低減という効果が実現できる。（４）顎の運動に関連したノイズのレベルや、きつくフィットする、剛性材料を使用した場合に生じる、音響密閉性の喪失と回復の連続による音漏れの低減が可能となる。
【００３１】
上記成型プロセスのさらなる利点として、モールドの内部に二次材料が封入されるため、二次材料として液体やゲルが使用可能となる。これにより、材料の選択幅が広まって、音響減衰の向上が実現できる。
【００３２】
カスタマイズされた射出成形および成型は、様々なプロセスにおいて利用／実行できる。当該プロセスとしては、デジタルデータプロセス、３Ｄ印刷（ラピッドプロトタイピング）等が挙げられる。
【００３３】
この場合、人間の耳の形状が、耳および外耳道にシリコーンを注入すること、またはレーザまたは白光スキャナで外耳および外耳入口領域を走査することで取得できる。スキャン画像は、製品の最終形状の形成、または彫り刻みに使用され、さらにモールドのデジタル画像に統合された、モールドの予め設計された特徴を追加するために使用される。その後、最終製品のデザインのデジタルファイルが３Ｄラピッドプロトタイピング／製造機械に出力される。当該プロセスの場合、３Ｄプリンタでは射出成形型となる物体が形成され、その後当該成形型にシリコーンが充填される（Ｍａｒｔｉｎ）。シリコーンが硬化した後、成形型の外「殻」を割り開いて除去することで、内部のシリコーン成型品が取り出される。
【００３４】
いくつかの実施形態では、人の耳の画像を撮像して、成形型を設計するソフトウェアが使用されてもよい。いくつかの実施形態では、ソフトウェア内のオブジェクトを使用して、射出成形型およびイヤモールド設計をより複雑にしてもよい。イヤモールドの設計に追加できる特異なオブジェクトとしては、射出成形スプルーシステムが挙げられる。即ち、（１）二次材料の量および位置を最適化するように選択、配置された、予め設計された形状。当該位置は通常外耳領域であるが、耳の動く部分または、装着者が一方の側頭部を表面に置いた場合に当該表面に押し付けられる部分である外耳領域に存在してもよい。
【００３５】
本明細書に記載の実施形態は、二次成型作業を利用する。即ち、エラストマ成型の内部に、第２材料（例えば、フォーム材）を注入する作業である。したがって、本明細書に記載のエラストマ複合システムおよび技術は、成型処理の一部として第２材料（例えば、フォーム材）が送り込まれるという特有な特徴を有する。
【００３６】
場合によっては、カスタマイズされたエラストマ製モールドを、使い捨て３Ｄ印刷成形型により成型してもよい。本明細書に記載の実施形態はこのプロセスを利用するものであるが、さらに特別な外形状を形成するだけではなく、装着性が高いフォーム材により、特殊な内部を形成するという更なる特徴を有する。
【００３７】
いくつかの実施形態では、プロセスは、エラストマ成型プロセスにより得られる表面張力を利用するものである。３Ｄ印刷による使い捨て射出成形型にエラストマが注入されると、元材料または一次材料の表面張力により、エラストマが成形型の表面に張り付く。流動的という特徴を有する任意の二次材料（別のエラストマ、空気、水、その他液体、ペースト、またはフォーム材）が成形型に注入されても、成形型の内面から元材料を取り除くことはできず、成形型の内部から元の一次材料を取り除くことのみが可能となる。即ち、元のエラストマは成形型の内面に沿って残存し、最終装置の外「皮」または「層」を形成し、二次材料が装置の内部を形成することになる。
【００３８】
残存する一次材料、注入された二次材料の位置や量のいずれも制御可能とするために、様々なプロセスが利用可能である。
【００３９】
一つのプロセス制御は、一次材料の硬化および二次材料の注入のタイミングを対象とする。一次材料の硬化が時間に依存するのであれば、一次材料による外層の厚さは、時間により制御できる。これは、２成分触媒硬化方式の場合、一次材料の硬化は時間に基づくためである。熱依存性の一次材料の場合は、熱曝露によって同様の制御が実現される。
【００４０】
別のプロセス制御として、射出成形プロセスにおいて特殊なスプルーとベントを利用することが挙げられる。射出プロセスがスプルーとベントの配置と形状により制御され、各材料の射出の際の位置および量が決定される。
【００４１】
いくつかの実施形態では、二次材料を一次材料内に配置する前に、一次材料の内部を空洞化してもよい。その場合、別のプロセス制御は、二次材料の注入前に、一次材料を空洞化することであってもよい。一次材料の内部空洞内に二次材料を注入する前に、一次材料が一時的に置き換えられた部分を形成する圧縮空気または水等の液体を利用して、一次材料の除去を実行してもよい。
【００４２】
聴覚機器の部品を形成する装置であって、部品は、ハウジングを有するイヤピースを含み、ハウジングは第１材料から作製された壁を有し、ハウジングの壁は、第１材料で囲まれた第２材料を有し、装置は第１材料と第２材料とを収容する内部空洞を有する成形型を有し、成形型は第１材料を受け入れる第１ポートを有し、成形型はさらに第２材料を受け入れる第２ポートと、第２材料を第１材料内に導く第１流路とを有する。
【００４３】
任意で、成形型は使い捨て成形型を含む。
【００４４】
任意で、装置はさらに第１材料の第１供給源を有する。
【００４５】
任意で、第１材料は、シリコーンまたはウレタンを含む。
【００４６】
任意で、装置はさらに、第２材料の第２供給源を有する。
【００４７】
任意で、成形型はさらに、第２材料を第１材料に導くための第２流路を有する。
【００４８】
任意で、第２材料は、シリコーンゲル、シリコーンフォーム材、ウレタンゲル、またはウレタンフォーム材を含む。
【００４９】
任意で、装置は成形型内に第１材料が送り込まれた後に、第１材料の一部と置き換わる液体または空気の供給源をさらに有する。
【００５０】
任意で、成形型は、カスタマイズされた型を含む。
【００５１】
聴覚機器の部品は、ハウジングを有するイヤピースを含み、ハウジングは第１材料から形成される壁を有し、ハウジングの壁は第１材料で囲まれた第２材料を有する。
【００５２】
任意で、ハウジングは、流路を有し、壁は流路を囲む。
【００５３】
任意で、イヤピースは、カスタマイズされたシェルを有する。
【００５４】
任意で、第２材料は聴覚機器に関連した低音効果を向上するように構成される。
【００５５】
任意で、第２材料は外音を減衰することで、音響密閉性を実現するように構成される。
【００５６】
任意で、第２材料は、聴覚機器に関連したオクルージョン効果を低減するように構成される。
【００５７】
任意で、第１材料は、第１シリコーンを含む。
【００５８】
任意で、第２材料は、第１シリコーンとは異なる、第２シリコーンを含む。
【００５９】
任意で、第１シリコーンは第１硬度を有し、第２シリコーンは第１硬度とは異なる第２硬度を有する。
【００６０】
任意で、第２シリコーンは、シリコーンゲルを含む。
【００６１】
任意で、第２シリコーンは、シリコーンフォーム材を含む。
【００６２】
任意で、第１材料は、第１ウレタンを含む。
【００６３】
任意で、第２材料は、第１ウレタンとは異なる第２ウレタンを含む。
【００６４】
任意で、第１ウレタンは第１硬度を有し、第２ウレタンは第１硬度とは異なる第２硬度を有する。
【００６５】
任意で、第２ウレタンは、ウレタンゲルを含む。
【００６６】
任意で、第２ウレタンは、ウレタンフォーム材を含む。
【００６７】
任意で、第２材料は、液体を含む。
【００６８】
任意で、第２材料は、フォーム材を含む。
【００６９】
任意で、第２材料は、空気を含む。
【００７０】
成形型を作製する方法であって、成形型は第１材料および第２材料を収容するための内部空洞を有し、成形型は第１材料を受け入れる第１ポートと、第２材料を受け入れる第２ポートと、第１材料内に第２材料を送り込むための第１流路とを有する。方法は、耳の形状を表わすデータを有する電子ファイルを決定することと、スプルー特徴部を有する型の電子的モデルを生成するために電子ファイルを処理することと、成形型の電子的モデルに基づいて、成形型を作製することとを含む。
【００７１】
任意で、電子的モデルは、ＣＡＤモデルを含む。
【００７２】
任意で、データは耳甲介、外耳道外側部、外耳道内側部の形状を表わす。
【００７３】
任意で、成形型は３Ｄプリンタを使用して作製される。
【００７４】
任意で、スプルー特徴部は、第１材料を送り込むための第１スプルーを表わす第１スプルー特徴部を含む。
【００７５】
任意で、スプルー特徴部は、第２材料を送り込むための第２スプルーを表わす第２スプルー特徴部を含む。
【００７６】
成形型を使用して聴覚機器の部品を作製する方法であって、方法は成形型に第１材料を注入し、第１材料に第２材料が囲まれるように第２材料を成形型に注入すること、とを含み、第１材料と第２材料とが部品の部位を形成する。
【００７７】
任意で、方法はさらに、成形型を破壊して、部品を取り出すことを含む。
【００７８】
任意で、方法はさらに、第１材料の内部を除去して、第１材料内に空洞を作ることを含み、第２材料が第１材料の空洞内に注入される。
【００７９】
任意で、除去することは、第１材料内に液体または空気を送り込むことを含む。
【００８０】
任意で、部品はイヤピースを含む。
【００８１】
第１聴覚機器の第１部品を形成する装置であって、第１部品は、ハウジングを有するイヤピースを含み、ハウジングは第１材料から作製された壁を有し、ハウジングの壁は、第１材料で囲まれた第２材料を有し、装置は第１材料と第２材料とを収容する第１内部空洞を有する型を有し、成形型は第１材料を受け入れる第１ポートと、第１材料内に第２材料が存在するよう、第２材料を第１内部空洞内に送り込むための、第２材料の第１供給源とを有する。
【００８２】
任意で、第２材料の第１供給源は、第１シリンジを含む。
【００８３】
任意で、装置はさらに第２聴覚機器の第２部品を形成するものであって、装置は第２内部空洞と、第２材料を第２内部空洞内に送り込むための、第２供給源とを有する。
【００８４】
任意で、第１供給源は第１シリンジを含み、第２供給源は第２シリンジを含む。
【００８５】
別のおよびさらなる態様および特徴が、以下の詳細の説明を読むことで明らかになろう。
【００８６】
図は、実施形態の設計および効果を示すもので、同様の要素は、共通の参照番号が振られている。効果や目的がどのように生じるかを理解しやすくなるよう、添付の図を参照に、実施形態をより具体的に説明する。これら図は、あくまで例示的な実施形態を示すもので、本発明の請求の範囲を限定するものではないことが理解されよう。
【図面の簡単な説明】
【００８７】
【図１】図１は、聴覚機器の部品を作製する方法を示す。
【００８８】
【図２】図２は、聴覚機器の部品を作製する別の方法を示す。この方法は、二次材料を追加する前に、一次材料を除去する媒体を使用することを含む。
【００８９】
【図３】図３は、デジタル３Ｄスキャンで撮像された耳型を示す。これが、聴覚機器の部品を形成するための最初の画像となる。この図では、外耳道／内耳の前方視（右）と、後方視（左）を示す。
【００９０】
【図４】図４は、成形型内に、一次材料および二次材料を注入するためのスプルーを示す。
【００９１】
【図５】図５は、使い捨て成形型を様々な方向から見たもので、柔らかいものと固いもの、または色が異なるような、異なる２つの材料から、複合イヤモールドを作製可能とする２つの注入ポートを示す。
【００９２】
【図６】図６は、イヤモールドを作製するために使用される、図５の５Ａ−５Ｃの射出成形型の断面図であって、特に使い捨て射出成形型内に材料を送り込むためにどのようにスプルーが使用されるかを示す。
【００９３】
【図７】図７は、使い捨て射出成形型からイヤモールドを取り出す、「離型」工程における、使い捨て射出成形型内の内部に存在するイヤモールドを示す。
【００９４】
【図８】図８は、シリコーンまたはシリコーンエラストマのいずれかである一次材料から作製された装置（例えば、聴覚機器の部品）を示し、一次材料の内部には、一次材料とは硬度または特徴が異なるフォーム材、ゲル、またはエラストマ等の二次材料が注入されている。
【００９５】
【図９】図９は、図８の８Ａ−８Ｂに示す装置の内部を示す図（左）と、一次および二次材料の場所を示す、前方視の断面図である。一次材料は、射出成形型内壁と接していた部分では残っているが、特定部において二次材料に置き換えられている。
【００９６】
【図１０】図１０の１０Ａ−１０Ｂは、図８の８Ａ−８Ｂに示す装置を外耳道の端から見た図（左）と、一次および二次材料の場所を示す、外耳道視図の断面図である。一次材料は、射出成形型内壁と接していた部分では残っているが、特定部において二次材料に置き換えられている。
【００９７】
【図１１】図１１は、図８の８Ａ−８Ｂの装置を外耳道の端から見た図（左）、一次および二次材料の場所を示す、外耳道視図の断面図である。
【００９８】
【図１２】図１２は、別の使い捨て射出成形型と、当該使い捨て射出成形型の一部断面図を示す。
【００９９】
【図１３】図１３は、一次材料で満たされた状態の、図１２の１２Ａ−１２Ｂの射出成形型を示す。
【０１００】
【図１４】図１４は、一次材料で満たされた状態の、図１２の１２Ａ−１２Ｂの射出成形型を示し、一次材料の内部領域が空気または水で置き換えられて、一次材料内に空洞領域が形成されている。
【０１０１】
【図１５】図１５は、空洞化して、射出成形型の側に薄壁を形成している一次材料で満たされた、図１２の１２Ａ−１２Ｂに示す射出成形型を示す。空洞化した内部は、二次材料で満たされることで、装着性の高い内部が形成される。
【０１０２】
【図１６】図１６は、１つまたは複数の聴覚機器の１つまたは複数の部品を形成するための別の装置を示す。
【発明を実施するための形態】
【０１０３】
図面を参照しながら、各種実施形態を以下で説明する。図面の全体を通して、同様の構造または機能の要素は同じ参照符号によって示されている。また、図面は実施形態の説明を容易にすることを意図するものに過ぎないことに留意すべきである。図面は、特許請求の範囲に記載された発明の包括的な説明としても、または特許請求の範囲に記載された発明の技術的範囲に対する制限としても意図されていない。加えて、図示した実施形態は、示されるすべての態様または利点を有する必要はない。特定の実施形態とともに記載される態様または利点は必ずしも、その実施形態に限定されず、示されていなかったり、または明示的に説明されていなくても、任意の他の実施形態で実施可能である。
【０１０４】
図１は、聴覚機器の部品を作製する方法１００を示す。図示の例では、部品は聴覚機器のイヤピースである。ただし、別の実施形態では、部品は聴覚機器のその他任意の部品であってもよい。非限定的な例として、聴覚機器は補聴器（耳あな型補聴器、完全外耳道挿入補聴器、耳かけ型補聴器等）、イヤホン、イヤプラグ、イヤドーム、試験プローブ用イヤピース、イヤプロテクション等であってもよい。
【０１０５】
図示のように、最初に、耳のデジタルスキャンがとられる（工程１０２）。デジタルスキャンをとるのに、様々な技術が利用できる。例えば、光学的スキャンプローブにより、耳をスキャンできる。別の例として、超音波型スキャンプローブにより、耳をスキャンできる。別の実施形態では、当技術分野で公知の手持ちスキャナを使用できる。さらに、耳型（例えば、耳のあなや形状を直接材料で成型したもの）を得て、耳型をスキャンして、耳のデジタルスキャンをとってもよい。デジタルスキャンは、耳の特徴を表わすデータを有するデジタルファイルとして実現できる。耳の特徴としては、人の外耳道の内部空洞や、外耳領域が挙げられる。さらに、いくつかの実施形態では、デジタルファイル内のデータは、耳甲介、外耳道外側部、外耳道内側部の形状を表わすものであってもよい。別の実施形態では、耳をスキャンすることなく、デジタルファイルを作製するその他技術が利用されてもよい。
【０１０６】
次に、コンピュータを使った設計システム（ＣＡＤ）ソフトウェアまたはツールを使用して、デジタルファイルをもとに耳のモデルを作製する（工程１０４）。例えば、デジタルファイルをＣＡＤ形式に変換して、ＣＡＤモデルを取得してもよい。ＣＡＤツールを使用して、耳のモデルを修正してもよい。例えば、モデルにおける所定の好ましくない特徴の削除や、モデルの特定の部位の形状および／または寸法の調整等を行ってもよい。ＣＡＤソフトウェアまたはツールは、製品設計に使用されるあらゆる設計ツールであってもよい。例えば、いくつかの実施形態では、設計ツールはｅＳｃｕｌｐｔｉｎｇであってもよい。一形態では、耳の特徴を表わすデジタルファイルを、デジタルスキャン画像から耳型を作製するように特別に構成されたソフトウェア（例えばｅＳｃｕｌｐｔｉｎｇ）に読み込んでもよい。
【０１０７】
次に、耳のＣＡＤモデルにスプルー特徴部を追加することで、修正された耳のモデルを得る（工程１０６）。いくつかの実施形態では、スプルー特徴部は、作製される射出成形型に第１材料を送り込むための第１スプルーを表わす第１スプルー特徴部と、作製される射出成形型に第２材料を送り込むための第２スプルーを表わす第２スプルー特徴部とを含む。別の実施形態では、スプルー特徴部は３つ以上のスプルー特徴部を含んでもよい。いくつかの実施形態では、第１スプルーは第１材料を収容する空洞と、第１材料を作製される射出成形型の空洞内に送り込む流路または管を含んでもよい。同様に、第２スプルーは第２材料を収容する空洞と、第２材料を作製される射出成形型の空洞内に送り込む流路または管を含んでもよい。いくつかの実施形態では、工程１０６は不要である。
【０１０８】
次に、設計ツールを使用して、作製される射出成形型のモデルを得てもよい（工程１０８）。この射出成形型モデルは、射出成形型のデジタル表現であってもよい。いくつかの実施形態では、設計ツールは耳モデルまたは修正された耳モデルを使用して、射出成形型モデルを作製するように構成されてもよい。これは、耳モデルまたは作製が望まれる装置（即ち、聴覚機器の部品）のモデルからオフセットを生成することで実現されてもよい。これにより、作製が望まれる部品の形状を内側に有した、中空射出成形型のモデルが得られる。図示の実施形態では、作製された射出成形型のモデルは、第１（一次）材料および第２（二次）材料の両方に対するスプルーの、予め設計された特徴を含む。いくつかの実施形態では、スプルー特徴部が工程１０６で組み込まれる。別の実施形態では、スプルー特徴部は、工程１０８において、射出成形型モデル作製の際に、射出成形型モデルに組み込まれてもよい。そのような場合には、工程１０６が不要となる。さらなる実施形態において、スプルー特徴部の（１つまたは複数の）部位が工程１０６で組み込まれ、工程１０８においてその他の（１つまたは複数の）部位が組み込まれてもよい。
【０１０９】
一形態において、ｅＳｃｕｌｐｔｉｎｇを使用して、耳モデルの形状を修正して、射出成形型モデルの形状を作製してもよい。射出成形型モデルは、第１材料用のスプルーと、第２材料用のスプルーとを作製するためのオブジェクトを含む。
【０１１０】
次に、射出成形型モデルに基づいて射出成形型が作製される（工程１１０）。図示の例では、射出成形型は使い捨て射出成形型である。そのような場合、射出成形型を使用して聴覚機器の部品を作製した後、射出成形型を破壊して、作製した部品を取り出す。別の実施形態では、射出成形型は使い捨て射出成形型でなくてもよい。例えば、射出成形型は上記特徴に代えて、互いに着脱可能な複数の部品から構成されるものであってもよい。そのような場合、聴覚機器の部品を作製した後、モールド部品は互いから着脱されて、その後また組み立てることで、射出成形型を繰り返し作製できる。いくつかの実施形態では、工程１０８は射出成形型を表わす電子ファイルを受信して、受信した電子ファイルに基づいて射出成形型を作製する３Ｄプリンタを使用して実行されてもよい。３Ｄ印刷処理は、様々な材料を利用して、今日販売されている多様な３Ｄプリンタを使用して実行されてもよい。いくつかの実施形態では、射出成形型材料は、聴覚機器の部品を作製するのに使用する材料（例えば第１材料）に対して、化学的に適合するものであってもよい。
【０１１１】
射出成形型作製後、射出成形型を使用して聴覚機器の部品を作製してもよい。図示のように、第１材料（一次材料）が最初に射出成形型内に入れられる（例えば、注入される）（工程１１２）。一次材料は、エラストマまたは作製される部品に適したその他任意の種類の材料であってもよい。非限定的な例として、第１材料はシリコーン、ウレタン等であってもよい。図示の実施形態では、射出成形型が第１材料を送り込むように構成される第１スプルーを有するので、第１スプルーは射出成形型の内部空洞に第１材料を送り込むように使用されてもよい。第１材料は、射出成形型の内面全体または略全体が、第１材料で覆われるまで、注入されてもよい。
【０１１２】
次に、第２材料（二次材料）が射出成形型内に入れられる（例えば、注入される）（工程１１４）。第２材料は、液体、ゲル、またはその他種類の材料であってもよい。非限定的な例として、第２材料はシリコーンゲル、シリコーンフォーム材、ウレタンゲル、ウレタンフォーム等であってもよい。いくつかの実施形態では、第２材料は第１材料の特徴とは異なる特徴（例えば、硬度、色等）を有する。図示の実施形態では、射出成形型は、第２材料を送り込むように構成された第２スプルーを有するため、第２スプルーにより、射出成形型内に第２材料を送り込んでもよい。
【０１１３】
図示の実施形態では、第２材料が射出成形型内に送り込まれる際に、表面張力効果により、第１材料が射出成形型の外壁の内面に張り付いている。これにより、射出成形型空洞の壁に沿って、射出成形型空洞の外側または外方部から第１材料を除去することなく、射出成形型の内部を二次材料で満たすことができる。したがって、一次材料が部品の「外」皮または層を形成し、二次材料を部品内部に限定することができる。これにより、作製された部品は、外層が第１材料の利点や特徴を有し、内部が第２材料の利点や特徴を有したものとなる。
【０１１４】
図示の実施形態では、第２材料が、第２材料用の（１つまたは複数の）スプルーを使用して、射出成形型内に注入される。これは、第２材料を射出成形型の性能最適化のために選択された特定の位置に配置し、射出成形型の特定領域へ材料がバランスよく流れることに寄与する。場合によっては、射出成形型内に第２材料を送り込むため、複数のスプルーが、射出成形型の異なる部位に設けられてもよい。いくつかの実施形態では、第２材料を１つまたは複数のスプルーを介して注入するタイミング、および／または注入圧力を選択して、注入結果を調整してもよい。さらに、いくつかの実施形態では、第１材料の硬化反応が時間または温度に依存する場合、第１および第２注入の間の時間間隔、および／またはプロセスの温度が、第１材料により形成される部品の部位の厚さに影響する。
【０１１５】
その後、第１および第２材料を硬化して、部品が形成される。聴覚機器の部品が第１および第２材料を使用して形成された後、聴覚機器の部品が射出成形型から取り出される（工程１１６）。図示の例では、射出成形型は使い捨て射出成形型であって、工程１１６は射出成形型を破壊して、射出成形型から聴覚機器の部品を取り出すことを含む。別の実施形態では、射出成形型は、互いに着脱可能なモールド部品から構成されてもよい。そのような場合、モールド部品同士が互いに分離されて、聴覚機器の部品が取り出される。
【０１１６】
次に、聴覚機器の部品に対して１つまたは複数の追加プロセスを実行してもよい（工程１１８）。例えば、部品に付着した、好ましくない余分な材料を、切削、研削等により、部品から除去してもよい。さらに、部品を処理して、当該部品として望ましい表面を有するようにしてもよい。別の実施形態では、工程１１８は不要で、聴覚機器の部品は工程１１６の実行をもって完成としてもよい。
【０１１７】
上述の技術で作製した聴覚機器の部品（例えばこの例ではイヤモールド）は、部品の外方部に第１材料が配置され、第２材料が第１材料内に包まれている。いくつかの実施形態では、第１材料はイヤモールドの壁を形成し、第２材料は壁内に配置され、第１材料に囲まれてもよい（例えば、第１材料は壁の互いに対向する２つの表面／層を形成し、第２材料が第１材料の２つの層間に挟まれるようにしてもよい）。このような場合、壁は流路を囲み、即ち流路が壁で画定されてもよい。別の実施形態では、第１材料はイヤモールドの壁を形成して、第２材料は、第１材料で囲まれたイヤモールドの空洞内に配置されてもよい。
【０１１８】
なお、本明細書において、「囲まれる」およびそれに類する用語は、ある物品が別の物品に完全に収容されることや、別の物品に実質的に収容されることを表わす。例えば、第２材料が第１材料で「囲まれる」と表現されている場合、第２材料は、第１材料に完全に収容されてもよいし、第１材料に実質的に収容されてもよい（例えば、第２材料の表面積の８０％、８５％、９０％、９５％、または９９％以上が第１材料で覆われてもよい）。
【０１１９】
図２は、聴覚機器の部品を作製する、別の方法１００を示す。図２の方法１００は、図１と同じだが、図２の方法１００はさらに、工程１１２後に実行される工程１１３を含む。工程１１３では、第１材料の内部を除去して、第１材料内に空洞を作る。ここで、第２材料はその後に第１材料内の空洞に注入可能である（工程１１４による）。いくつかの実施形態では、第１材料の内部を除去することは、第１材料内に液体または空気を送り込むことを含んでもよい。一形態において、第１材料の内部の除去は、第１材料を置き換える媒体を利用して実現されてもよい。媒体は、第１材料の内部を空洞化する、圧縮空気または加圧液体であってもよい。その後、第２材料は（１つまたは複数の）スプルーを介して射出成形型内に注入され、空洞化した内部を満たす。図２の方法１００では、第１材料をより多く除去することで、より多くの第２材料を最終装置の内部に入れることができる。時間、および／または注入圧により、注入結果を調整してもよい。
【０１２０】
上述の実施形態では、スプルーは、成形型と共に形成され、成形型に取り付けられるように記載されている。別の実施形態では、スプルーは、成形型とは別に形成され、成形型と一体形成されなくてもよい。
【０１２１】
図３は、デジタル３Ｄスキャンで撮像された耳型（１）を示す。これが、聴覚機器の部品（例えば、イヤホン装置）を形成するための最初の画像となる。この図では、外耳道／内耳の前方視（右）と、後方視（左）を示す。
【０１２２】
図４は、射出成形型（４）内に、一次材料および二次材料を注入するためのスプルー（２および３）を示す。
【０１２３】
図５は、射出成形型（４）を様々な方向から見たもので、柔らかいものと固いもの、または色が異なるような、異なる２つの材料から、複合イヤモールドを作製可能とする２つの注入ポート（２、３）を示す。
【０１２４】
図６は、イヤモールド（５）を作製するために使用される、図５の５Ａ−５Ｃの射出成形型（４）の断面図であって、特に射出成形型（４）内に材料を送り込むためにどのようにスプルー（２、３）が使用されるかを示す。
【０１２５】
図７は、射出成形型（４）からイヤモールドを取り出す、「離型」工程における、射出成形型（４）内の内部に存在するイヤモールド（５）を示す。
【０１２６】
図８は、シリコーンまたはシリコーンエラストマのいずれかである一次材料から作製されたイヤモールド（５）を示し、一次材料の内部には、一次材料とは硬度または特徴が異なるフォーム材（６）、ゲル、またはエラストマ等の二次材料が注入されている。
【０１２７】
図９は、イヤモールド（５）の内部を示す図（左）と、一次および二次材料（７）の場所を示す、前方視の断面図である。一次材料（６）は、射出成形型内壁と接していた部分では残っているが、特定部において二次材料（７）で置き換えられている。
【０１２８】
図１０は、イヤモールド（５）を外耳道の端から見た図（図１０の１０Ａ）と、一次（６）および二次材料（７）の場所を示す、外耳道視図の断面図である。一次材料（６）は、射出成形型内壁と接していた部分では残っているが、特定部において二次材料（７）で置き換えられている。
【０１２９】
図１１は、イヤモールド（５）を外耳道の端から見た図（左）であって、一次（６）および二次材料（７）の場所を示す、外耳道視図の断面図である。
【０１３０】
図１２は、別の射出成形型（４）と、射出成形型（４）の一部断面図を示す。
【０１３１】
図１３は、一次材料（６）で満たされた状態の、図１２の１２Ａ−１２Ｂの射出成形型（４）を示す。
【０１３２】
図１４は、一次材料（６）で満たされており、一次材料（６）の内部領域が空気または水で置き換えられて、一次材料（６）内に空洞領域（８）が形成された状態の、図１２の１２Ａ−１２Ｂの射出成形型（４）を示している。
【０１３３】
図１５は、空洞化して、射出成形型（４）の側に薄壁を形成している一次材料（６）で満たされた射出成形型（４）を示す。空洞化した内部は、二次材料（７）で満たされることで、装着性の高い内部が形成される。
【０１３４】
いくつかの実施形態では、第２材料は、聴覚機器に関連した低音効果を向上するように構成されてもよい（例えば、選択される、さらに／あるいは配置が設計される）。また、いくつかの実施形態では、第２材料は外音を減衰することで、音響密閉性を実現してもよい。さらに、いくつかの実施形態では、第２材料は聴覚機器に関連するオクルージョン効果を低減するように構成されてもよい。
【０１３５】
上述の、イヤモールド（５）を作製する技術は有利である。特定用途向けソフトウェアと３Ｄ印刷の機能を利用することで、得られたイヤモールド（５）は、特性、性能、外観の向上を図るように、多様な材料を組み合わせた高度な複合構造となる。また、イヤモールド（５）の内部特性も、内部空間の決まった構造に縛られることもなく、イヤモールド（５）は、外形がカスタマイズされており、さらに内部の特徴もカスタマイズされた構成となる。
【０１３６】
図１６は、１つまたは複数の聴覚機器の１つまたは複数の部品を形成する、別の装置３００を示す。
【０１３７】
いくつかの実施形態では、１つまたは複数の聴覚機器は、第１聴覚機器を含む。１つまたは複数の部品は、ハウジングを有するイヤピースを含む第１部品を含む。ハウジングは第１材料から形成された壁を有し、ハウジングの壁は、第１材料で囲まれた第２材料を有する。図示の実施形態では、装置３００は前記第１材料と前記第２材料とを収容する第１内部空洞３０４ａを有する成形型３０２を有する。装置３００はさらに、第２材料が第１材料内に存在するように、第１内部空洞３０４ａ内に第２材料を送り込むための、第２材料用第１供給源３１０ａを有する。
【０１３８】
図示の実施形態では、装置３００はさらに、第２聴覚機器の第２部品を形成するものである。装置３００は、第２内部空洞３０４ｂと、第２内部空洞内に第２材料を送り込むための、第２材料用第２供給源３１０ｂとを有する。
【０１３９】
いくつかの実施形態では、第２材料の第１供給源３１０ａは、第１シリンジを含む。本明細書において、「シリンジ」という用語は、流体を収容する容器を有するあらゆる流体搬送装置を示す。
【０１４０】
また、いくつかの実施形態では、第１供給源３１０ａは第１シリンジを含み、第２供給源３１０ｂは第２シリンジを含む。
【０１４１】
いくつかの実施形態では、空洞３０４は各聴覚機器用の各部品を形成するために設けられる。各空洞３０４は、第１材料により第２材料が囲まれるように、第１材料と、第２材料とを受け入れるものである。場合によっては、成形型３０２は、第１材料を各空洞３０４に送り込むことを可能とする、複数の第１ポートを有する。さらに、第１ポートは第２材料を各空洞３０４に送り込むことを可能としてもよい。あるいは、成形型３０２は、第２材料を各空洞３０４に送り込むことを可能とする、複数の第２ポートを有してもよい。さらに、いくつかの実施形態では、装置３００は各空洞３０４内に同時に第２材料を注入するための、複数のシリンジを有してもよい。場合によっては、シリンジは、各空洞３０４の位置に対応する相対位置に配置されてもよい。シリンジは、共通位置決め装置に搭載されてもよい。当該装置は、同時に全てのシリンジを動かすことで、シリンジの注入端が、各内部空洞３０４と流体連通する、成形型３０２の各ポートに移動する。
【０１４２】
なお、上述の技術は、聴覚機器のカスタマイズされた部品の作製に限定されない。別の実施形態では、上述の技術は、聴覚機器の標準的な部品または、カスタマイズされた特徴と、カスタマイズされていない特徴の両方を有する部品を作製するものであってもよい。例えば、別の実施形態では、イヤモールド（５）の外形は標準的なもので、内部特徴がカスタマイズされたものであってもよい。
【０１４３】
また、上述の技術は、図示の例以外にも多様な聴覚機器の部品を作製するために使用されてもよい。非限定的な例として、本明細書に記載の技術は、聴覚機器は補聴器（耳あな型補聴器、完全外耳道挿入補聴器、耳かけ型補聴器等）、イヤホン、イヤプラグ、イヤドーム、試験プローブ用イヤピース、イヤプロテクション等を作製するものであってもよい。
【０１４４】
特定の特徴を示し、記載してきたが、これらの特徴は、特許請求の範囲に記載された発明を限定することを意図していないことが理解され、特許請求の範囲に記載された発明の精神及び範囲から逸脱することなく種々の変更及び改変が行われてもよいことが当業者に明らかになるだろう。したがって、明細書及び図面は、限定するという観点ではなく、実例であると考えるべきである。特許請求の範囲に記載された発明は、全ての代替例、改変及び均等物を包含することを意図している。
【図１】
2019515550.tif 000003
【図２】
2019515550.tif 000004
【図３】
2019515550.tif 000005
【図４】
2019515550.tif 000006
【図５】
2019515550.tif 000007
【図６】
2019515550.tif 000008
【図７】
2019515550.tif 000009
【図８】
2019515550.tif 000010
【図９】
2019515550.tif 000011
【図１０】
2019515550.tif 000012
【図１１】
2019515550.tif 000013
【図１２】
2019515550.tif 000014
【図１３】
2019515550.tif 000015
【図１４】
2019515550.tif 000016
【図１５】
2019515550.tif 000017
【図１６】
2019515550.tif 000018
【国際調査報告】
2019515550.tif 000019
2019515550.tif 000020
2019515550.tif 000021